(57)【要約】【課題】ベビーカーやショッピングカート等の手押し車のフレームに、物カゴを簡単に吊り下げて使用できる構造にした買い物カゴ吊り下げ用ホルダを提供する。【解決手段】買い物カゴ２００における１対の取手２０２が各々係止される下部水平係止部１３と、係止される１対の取手２０２の間における下部水平係止部１１から略垂直方向へ連続して延ばして設けられた連結部１２と、連結部１２の上端側に設けられた上部水平係止部１３と、フレーム１０１に取り付けたブラケット部材１１０に設けられているフック１１２に掛け止める上部水平係止部１３に設けられた係止穴１６と、連結部１２を中心として左右両側に分かれて下部水平係止部１１の上面に各々設けられ、買い物カゴ２００の１対の取手２０２の握り部２０２ａがそれぞれ落ち込み係止される１対の凹部１４と、を備える構成とした。【選択図】図２
2018090216.tif 000002
【特許請求の範囲】
【請求項１】
手押し車のフレームに１対の取手を有する買い物カゴを吊り下げるホルダであって、
水平方向に延ばして設けられ、前記買い物カゴの１対の取手が各々係止される水平係止部と、
前記水平係止部から連続して略垂直方向へ延ばして設けられた連結部と、
前記連結部の上端側に設けられているとともに、前記フレームに取り付けられるブラケット部材に配設されているフックに掛け止めする係止穴と、
前記連結部を中心として左右両側に分かれて前記水平係止部の上面側に設けられ、前記買い物カゴの前記１対の取手が落ち込み係止される少なくとも１対の凹部と、
を備えることを特徴とする買い物カゴ吊り下げ用ホルダ。
【請求項２】
前記凹部を、前記連結部を中心として前記水平係止部の片側に少なくとも２つ以上所定の間隔をあけて設けている、ことを特徴とする請求項１に記載の買い物カゴ吊り下げ用ホルダ。
【請求項３】
前記水平係止部は、前記連結部の下端側に設けられた下部水平係止部と前記連結部の上端側に設けられた上部水平係止部とを備え、前記上部水平係止部に前記係止穴を設け、前記下部水平係止部に前記凹部を設けている、ことを特徴とする請求項１又は請求項２に記載の買い物カゴ吊り下げ用ホルダ。
【請求項４】
前記連結部は、前記上部水平係止部と一体化された上側連結部と、前記下部水平係止部と一体化された下側連結部の二つに分割されているとともに、前記上側連結部と前記下側連結部との間の距離を長さ調整可能なベルト状部材で前記上側連結部と前記下側連結部を連結し一体化している、ことを特徴とする請求項３に記載の買い物カゴ吊り下げ用ホルダ。
【請求項５】
前記凹部内に、滑り止め用の樹脂材を装着している、ことを特徴とする請求項１から請求項４までのいずれか１項に記載の買い物カゴ吊り下げ用ホルダ。
【発明の詳細な説明】
【技術分野】
【０００１】
本発明は買い物カゴ吊り下げ用ホルダに関するものであり、特に、ベビーカーやショッピングカート等の手押し車のフレームに、１対の取手を有する買い物カゴを吊り下げる買い物カゴ吊り下げ用ホルダに関するものである。
【背景技術】
【０００２】
従来、スーパーマーケットやコンビニエンスストア等の買い物では、その都度、ビニール袋（通称、「レジ袋」）に入れて持ち帰る方法がとられていた。今日では、資源の有効利用や回収廃棄の手間軽減等の観点からレジ袋を廃止し、繰り返し使用可能なマイバックや自分専用の買い物カゴ等に転用することが推奨されている。
【０００３】
また、レジ袋は、重い荷物を入れて持つと手に喰い込む形となり、持ちにくいという問題点がある。そのため、その欠点を補うための補助具として、クリップ等が提案されている（例えば、特許文献１参照）。
【０００４】
一方、専用買い物カゴは、横長箱状に形成されているために、持ち運びの時に嵩張るという問題点や、ベビーカーやショッピングカート等の手押し車の場合は、手押し車の他に専用買い物カゴを持ち運びしなければならないので、不便であるという問題点があり、あまり普及するに至っていない。
【先行技術文献】
【特許文献】
【０００５】
【特許文献１】特開２０００−２３８７９８号公報
【発明の概要】
【発明が解決しようとする課題】
【０００６】
しかしながら、専用買い物カゴは、ベビーカーやショッピングカート等の手押し車に吊り下げるようにして持ち運んだ場合には、さほど問題とはならない。しかも、専用買い物カゴの場合は、強度があり、一つの買い物カゴの中に沢山の荷物を入れることができるという利点があるが、従来、手押し車等に買い物カゴを簡単に吊り下げできるようにしたホルダ等は存在していなかった。
【０００７】
そこで、本発明は上記問題点に鑑みなされたものであり、ベビーカーやショッピングカート等の手押し車のフレームに、買い物カゴを簡単に吊り下げて使用できるようにした買い物カゴ吊り下げ用ホルダを提供することを目的としている。
【課題を解決するための手段】
【０００８】
（１）本発明は上記目的を達成するために提案されたものであり、手押し車のフレームに１対の取手を有する買い物カゴを吊り下げるホルダであって、水平方向に延ばして設けられ、前記買い物カゴの１対の取手が各々係止される水平係止部と、前記水平係止部から連続して略垂直方向へ延ばして設けられた連結部と、前記連結部の上端側に設けられているとともに、前記フレームに取り付けられるブラケット部材に配設されているフックに掛け止めする係止穴と、前記連結部を中心として左右両側に分かれて前記水平係止部の上面側に設けられ、前記買い物カゴの前記１対の取手が落ち込み係止される少なくとも１対の凹部と、を備えることを特徴とする。
【０００９】
（２）（１）の構成において、前記凹部を、前記連結部を中心として前記水平係止部の片側に少なくとも２つ以上所定の間隔をあけて設けている、ことを特徴とする。
【００１０】
（３）（１）又は（２）の構成において、前記水平係止部は、前記連結部の下端側に設けられた下部水平係止部と前記連結部の上端側に設けられた上部水平係止部とを備え、前記上部水平係止部に前記係止穴を設け、前記下部水平係止部に前記凹部を設けている、ことを特徴とする。
【００１１】
（４）（３）の構成において、前記連結部は、前記上部水平係止部と一体化された上側連結部と、前記下部水平係止部と一体化された下側連結部の二つに分割されているとともに、前記上側連結部と前記下側連結部との間の距離の長さを調整可能なベルト状部材で前記上側連結部と前記下側連結部とを連結し一体化している、ことを特徴とする。
【００１２】
（５）（１）から（４）までのいずれかの構成において、前記凹部内に、滑り止め用の樹脂材を装着している、ことを特徴とする。
【発明の効果】
【００１３】
本発明によれば、買い物カゴ吊り下げ用ホルダを使用することにより、買い物カゴをベビーカーやショッピングカート等の手押し車のフレームに簡単に吊り下げて使用することができる。
【図面の簡単な説明】
【００１４】
【図１】本実施形態に係る買い物カゴ吊り下げ用ホルダの一例を示す平面図である。
【図２】同上ホルダを使用した一例を示す斜視図である。
【図３】同上ホルダを使用した他の一例を示す斜視図である。
【図４】本実施形態に係る買い物カゴ吊り下げ用ホルダの一変形例を示す平面図である。
【図５】本実施形態に係る買い物カゴ吊り下げ用ホルダにおける他の変形例を示す平面図である。
【発明を実施するための形態】
【００１５】
以下、本発明を実施するための形態(以下、「実施形態」という)を、添付図面に基づいて詳細に説明する。なお、以下の説明では、上下や左右等の方向を示す表現は、絶対的なものではなく、本発明の買い物カゴ吊り下げ用ホルダの各部が描かれている姿勢である場合に適切であるが、その姿勢が変化した場合には姿勢の変化に応じて変更して解釈されるべきものである。また、実施形態の説明の全体を通して同じ要素には同じ番号を付している。
【００１６】
図１は本発明の一実施形態として示す買い物カゴ吊り下げ用ホルダ１０の平面図で、図２はその買い物カゴ吊り下げ用ホルダ１０の一使用例を示す斜視図である。
【００１７】
まず、図１に示す本発明に係る買い物カゴ吊り下げ用ホルダ１０の使用例を、図２を用いて概略的に説明する。買い物カゴ吊り下げ用ホルダ１０は、ベビーカーやショッピングカート等の手押し車１００におけるフレーム１０１のハンドル部１０１ｂに、ブラケット部材１１０を介し吊り下げられ、この買い物カゴ吊り下げ用ホルダ１０の下部水平係止部１１に買い物カゴ２００を吊り下げるようにして使用される。
【００１８】
図２における手押し車１００のフレーム１０１は、手押し車本体部１０２の上部より上方に延出された左右１対の後脚フレーム１０１ａと、左右の後脚フレーム１０１ａを連結して水平に設けられたハンドル部１０１ｂと、を有している。
【００１９】
また、図２における、買い物カゴ２００は、カゴ体２０１と、カゴ体２０１を持ち上げるための１対の取手２０２とを備えている。カゴ体２０１は、上面が開口された横長箱状に形成されており、開口２０５の周縁には、狭い幅で鍔状部２０３が形成されている。
【００２０】
買い物カゴ２００を持ち上げるための１対の取手２０２は、図２に示すように、回動先端側に握り部２０２ａを設けて略コ字状に各々形成されている。また、横長箱状のカゴ体２０１の対向する各長手側面には、取手２０２を回動させるための支持軸部２０４が２個ずつ設けられている。各支持軸部２０４の位置は、カゴ体２０１の長手方向中心線Ｏ１に対し左右対称となっている。そして、１対の取手２０２は、両端を支持軸部２０４に支えられて、買い物カゴ２００の長手方向に沿って各々回動する。
【００２１】
ブラケット部材１１０は、一端（基端）側にテープ状をした周知のマジックバンド１１１が設けられ、他端（先端）側に先端が鍵状になった掛け止め用のフック１１２が取り付けられている。すなわち、ブラケット部材１１０とマジックバンド１１１とフック１１２は一体化された状態で取り扱われる。そして、ブラケット部材１１０は、マジックバンド１１１がフレーム１０１のハンドル部１０１ｂに取り外し可能に取り付けられ、フック１１２を垂れ下げた状態にして保持される。
【００２２】
図１及び図２に示すように、買い物カゴ吊り下げ用ホルダ１０は、樹脂材又は金属材であり、厚みは約５ミリで、荷物を入れた買い物カゴ２００を吊り下げても変形を起こすことがない、硬質の板状片として形成されている。また、買い物カゴ吊り下げ用ホルダ１０は、下部水平係止部１１と、下部水平係止部１１の左右中央部分から中心線Ｏ２に沿って垂直方向へ延びる連結部１２と、連結部１２の上端部と連続し、かつ、下部水平係止部１１と平行に形成された上部水平係止部１３と、を一体に設けて略「エ」の字をした形状にして形成されている。
【００２３】
下部水平係止部１１は、買い物カゴ２００の１対の取手２０２が各々係止されるものであり、連結部１２の中心線Ｏ２を中心として、その左右対称の位置にそれぞれ、複数個（本実施形態例では、片側２個ずつ）の凹部１４が所定の間隔をあけて形成されている。各凹部１４は、上部水平係止部１３と対向する側、すなわち上面側を開口して形成されており、買い物カゴ２００における取手２０２の握り部２０２ａを、上方から凹部１４内に落とし込むことにより、その内部に係止できるようになっている。その凹部１４は、連結部１２の中心線Ｏ２を中心として、その両側に対をなして形成されている１対の凹部１４ａと、１対の凹部１４ａの外側で同じく対をなして形成されている１対の凹部１４ｂを有している。また、各凹部１４ａ、１４ｂ内には、図１及び図２に示すように、ベルト状をした滑り止め用のゴム材１５が、各凹部１４ａ、１４ｂの底部を通って下部水平係止部１１を巻回した状態にして装着されている。なお、下部水平係止部１１に設けられる凹部１４は、少なくとも１対（１４ａ又は１４ｂ）設けられていればよく、その数も任意であってよい。また、滑り止め用のゴム材１５の装着は、使用形態によっては省略をしてもよい。
【００２４】
上部水平係止部１３には、ブラケット部材１１０のフック１１２に掛け止められる、概略矩形状に開口された係止穴１６が設けられている。係止穴１６は、連結部１２の中心線Ｏ２上に形成された係止穴１６ａと、中心線Ｏ２（係止穴１６ａ）を中心にして、その両側にそれぞれ左右対称に片側２個ずつ、すなわち、係止穴１６ｂ、１６ｃと係止穴１６ｄ、１６ｅが各々形成されている。なお、各係止穴１６（１６ａ、１６ｂ、１６ｃ、１６ｄ、１６ｅ）は、三角形状、あるいは丸形状等に開口されていてもよく、また係止穴１６の数も任意である。
【００２５】
このように構成された買い物カゴ吊り下げ用ホルダ１０は、使用をする場合、次の（１）〜（５）の順にセット及び調整をして使用される。
【００２６】
（１）まず、図２に示すように、手押し車１００におけるハンドル部１０１ｂの左右の位置に、各ブラケット部材１１０の一端側に取り付けているマジックバンド１１１を各々巻装して、１対のブラケット部材１１０をハンドル部１０１ｂに固定し、その１対のブラケット部材１１０の一端をそれぞれハンドル部１０１ｂの左右の位置から垂れ下げる。
【００２７】
（２）続いて、各ブラケット部材１１０の下端に取り付けられているフック１１２に、そのフック１１２と対応している係止穴１６（本実施形態例では、係止穴１６ｃと係止穴１６ｅ）を係合させ、各ブラケット部材１１０を介してハンドル部１０１ｂに買い物カゴ吊り下げ用ホルダ１０を水平に吊り下げる。
【００２８】
（３）次いで、買い物カゴ２００における１対の取手２０２の握り部２０２ａを、対応する１対の凹部１４ａ（又は凹部１４ｂ）に各々係合させると、買い物カゴ２００を手押し車１００のフレーム１０１、すなわちハンドル部１０１ｂに、買い物カゴ吊り下げ用ホルダ１０を介して吊り下げることができる。図２は、１対の凹部１４ａに１対の取手２０２における握り部２０２ａを各々係合させ、その買い物カゴ２００を手押し車１００のハンドル部１０１ｂに吊り下げている状態を示している。
【００２９】
（４）また、逆に、手押し車１００から買い物カゴ２００を下ろす場合は、握り部２０２ａが凹部１４から外れるまで、買い物カゴ２００を持ち上げ、更に買い物カゴ２００における１対の取手２０２をそれぞれ外側に回転させると、買い物カゴ２００を買い物カゴ吊り下げ用ホルダ１０から簡単に取り外して、下ろすことができる。
【００３０】
（５）また、買い物カゴ２００に収納している荷物のバランスが悪く、買い物カゴ２００が傾くような場合は、１対の取手２０２を係合している凹部１４の位置を凹部１４ａから凹部１４ｂ、または凹部１４ｂから凹部１４ａにそれぞれ変更して買い物カゴ２００内のバランスを取ると、買い物カゴ２００の傾きを修正することができる。また、ハンドル部１０１ｂに取り付けている１対のブラケット部材１１０の位置、又は間隔を変更する、あるいは、フック１１２が係合されている係止穴１６（１６ａ〜１６ｅ）の位置を変更するようにしてもバランスが変わり、買い物カゴ２００の傾きを修正することができる。
【００３１】
したがって、本実施形態のように構成された買い物カゴ吊り下げ用ホルダ１０では、買い物カゴ２００の１対の取手２０２が各々係止される、水平方向に延ばして設けられた下部水平係止部１１と、下部水平係止部１１から中心線Ｏ２に沿って略垂直方向へ連続して延ばして設けられた連結部１２と、連結部１２の上端側に設けられているとともに、フレーム１０１に取り付けられるマジックバンド１１１を取り付けたブラケット部材１１０に配設されているフック１１２に掛け止める係止穴１６と、連結部１２の中心線Ｏ２を中心として、その左右両側に分かれて下部水平係止部１１の上面側に各々設けられ、買い物カゴ２００の１対の取手２０２の握り部２０２ａがそれぞれ落ち込み係止される少なくとも１対の凹部１４と、を備える構成としてなるので、ベビーカーやショッピングカート等の手押し車１００のハンドル部１０１ｂに買い物カゴ２００を簡単に吊り下げて使用することができる。これにより、買い物及び買い物をした荷物を運ぶのが楽になる。
【００３２】
また、凹部１４は、連結部１２（中心線Ｏ２）を中心として下部水平係止部１１の片側に所定の間隔をあけて少なくとも２つ以上設けているので、買い物カゴ２００のバランスが取りやすい。
【００３３】
また、連結部１２の上端に下部水平係止部１１と平行に水平方向へ延びる上部水平係止部１３を設け、上部水平係止部１３に係止穴１６を設けているので、買い物カゴ２００のバランスが取りやすい。
【００３４】
また、凹部１４内に、滑り止め用のゴム材１５を装着しているので、買い物カゴ２００の握り部２０２ａが凹部１４内で滑るのを防止し、買い物カゴ２００を安定して吊り下げることができる。
【００３５】
なお、図２に示した上記実施形態では、１対のブラケット部材１１０を使用した場合を開示したが、例えば、図３に示すようにブラケット部材１１０を１個だけ使用して吊り下げることも可能である。この場合、通常、フック１１２は買い物カゴ吊り下げ用ホルダ１０の係止穴１６ａに係合されるが、バランス等、必要に応じて他の係止穴１６ｂ〜１６ｅに係合してもよい。また、１個のブラケット部材１１０を使用して買い物カゴ吊り下げ用ホルダ１０を吊り下げる場合では、係止穴１６は連結部１２の上側に１個、すなわち係止穴１６ａだけを設けた構造にしてもよい。
【００３６】
また、上記各実施形態で使用している買い物カゴ吊り下げ用ホルダ１０は、下部水平係止部１１と連結部１２と上部水平係止部１３を一体に形成した構造を開示したが、例えば図４に示すように、連結部１２を上下二つに分割し、上側連結部１２ａに上部水平係止部１３を設け、下側連結部１２ｂに下部水平係止部１１を設けた構造にしてもよい。
【００３７】
すなわち、図４に示す買い物カゴ吊り下げ用ホルダ１０では、上部水平係止部１３を設けた上側連結部１２ａと下部水平係止部１１を設けた下側連結部１２ｂとの間に、上側連結部１２ａと下側連結部１２ｂとの間の長さを調整可能なベルト状部材１７を設けている。
【００３８】
ベルト状部材１７は、ベルト１７ａと、ベルト１７ａの長さを調整可能な周知の長さ調整用バックル１７ｂを有している。一方、連結部１２における上側連結部１２ａと下側連結部１２ｂには、ベルト状部材１７のベルト１７ａを通す連結穴１８ａ、１８ｂが各々設けられている。そして、ベルト１７ａは、上側連結部１２ａの連結穴１８ａと下側連結部１２ｂの連結穴１８ｂを各々通って環状に連結され、その途中に設けた長さ調整用バックル１７ｂによりベルト１７ａの長さを調整し、上側連結部１２ａと下側連結部１２ｂとの間の距離を調整できるようになっている。
【００３９】
このように上側連結部１２ａと下側連結部１２ｂとの間の距離が調整できると、その距離の調整によって、下部水平係止部１１に吊り下げられた買い物カゴ２００の重心の位置を変更することができる。すなわち、買い物カゴ２００のフレーム１０１に対する重心の位置の変更は、買い物カゴ２００の吊り下げ状態の安定化に寄与することができる。
【００４０】
図５は、図４の実施形態を更に変形したものである。すなわち、図５に示す変形例は、ベルト状部材１７の全体、すなわちベルト１７ａの全体をゴム材で形成したものであり、長さ調整用バックル１７は使用しない。ベルト１７ａは、上側連結部１２ａの連結穴１８ａと下側連結部１２ｂの連結穴１８ｂを各々通って環状に連結されている。この実施形態では、下部水平係止部１１に吊り下げられた買い物カゴ２００に入れられた重量に応じてベルト状部材１７におけるベルト１７ａのゴムが延び、フレーム１０１に対する買い物カゴ２００の重心の位置を自動的に変更するようになっておりこの自動的な変更により、買い物カゴ２００の吊り下げ状態を安定化させることができるようになっている。
【００４１】
なお、図４及び図５に示す実施形態では、滑り止め用のゴム材１５を巻装していない構造を開示しているが、巻装した構造にしてもよいものである。  
【００４２】
なお、本発明は、上記実施形態に限定されるものではなく、上記変形以外にも本発明の目的を達成できる範囲での変形、改良等は本発明に含まれるものである。
【符号の説明】
【００４３】
１０      買い物カゴ吊り下げ用ホルダ
１１      下部水平係止部
１２      連結部
１２ａ    上側連結部
１２ｂ    下側連結部
１３      上部水平係止部
１４      凹部
１４ａ    １対の凹部
１４ｂ    １対の凹部
１５      滑り止め用のゴム材（樹脂材）
１６      係止穴
１６ａ〜１６ｅ  係止穴
１７      ベルト状部材
１７ａ    ベルト
１７ｂ    長さ調整用バックル
１８ａ、１８ｂ  連結穴
１００    手押し車
１０１    フレーム
１０１ａ  後脚フレーム
１０１ｂ  ハンドル部
１０２    手押し車本体部
１１０    ブラケット部材
１１１    マジックバンド
１１２    フック
２００    買い物カゴ
２０１    カゴ体
２０２    取手
２０２ａ  握り部
２０３    鍔状部
２０４    支持軸部
２０５    開口
Ｏ１      カゴ体の長手方向中心線
Ｏ２      中心線
【図１】
2018090216.tif 000003
【図２】
2018090216.tif 000004
【図３】
2018090216.tif 000005
【図４】
2018090216.tif 000006
【図５】
2018090216.tif 000007